(57)【要約】【課題】特に夏季に隣家や通行人に室外機から吹出す熱風が届いて、不愉快な思いをさせたり、花壇の植物を枯らす等の弊害のない空気調和機を提供する。【解決手段】熱交換器３と、ファン２、前面グリル７を夫々設けた空気調和機の室外機において、前面グリル７をファン２より十分大きい面積とし、吹出口１２の前面投影部分の通風抵抗を、周囲部分より大きくすることにより、特に夏季に隣家や通行人に室外機から吹出す熱風が届いて、不愉快な思いをさせたり、花壇の植物を枯らす等の弊害のない空気調和機が得られる。【選択図】図１
2007017012.tif 000002
【特許請求の範囲】
【請求項１】
本体の背面のみ、あるいは背面と側面に設けられた吸込口と、前面に設けられた吹出口とを結ぶ空気通路に、熱交換器と、ファンを納めた空気調和機の室外機本体部があり、前記室外機本体部の前面に、ファン面積より十分大きい前面グリルを設け、前記前面グリルは前記吹出口の略前面投影部分の吹出口前面部と、それ以外の外郭部から構成し、前記吹出口前面部の通風抵抗を、前記外郭部の通風抵抗より大きくしたことを特徴とする空気調和機。
【請求項２】
前記前面グリルの前記吹出口前面部の開口率を、前記外郭部の開口率より小さくしたことを特徴とする請求項１に記載の空気調和機。
【請求項３】
前記前面グリルの前記外郭部と前記空気調和機の室外機本体部の間に、通風路を設けたことを特徴とする請求項１に記載の空気調和機。
【請求項４】
前記前面グリルの前記外郭部の外周部分において、前記前面グリルと前記空気調和機の室外機本体部の間を閉じたことを特徴とする請求項３に記載の空気調和機。
【発明の詳細な説明】
【技術分野】
【０００１】
本発明は、空気調和機に係わり、より詳細には、室外機の前面グリルの構成に関する。
【背景技術】
【０００２】
従来の空気調和機の室外機の構成は、図３のような構成となっている（例えば、特許文献１参照）。
【０００３】
この図３の構成は、縦型の圧縮機３２、熱交換器３１、ファン３０とそれらを囲む外箱３３を備えた空気調和機の室外機において、前面グリル３４を外箱の前面側に接して設置してあり、ファン３０と前面グリル３４の間隙は、前面グリル３４が撓んでも、ファン３０に当たらない距離Hになるように、前面グリル３４を配置し、前面グリル３４の前面面積は、吹出口を覆う範囲であれば良いというものである。
【特許文献１】特開２００１−１５３４００号公報
【発明の開示】
【発明が解決しようとする課題】
【０００４】
しかしながら、前記従来の構成では、ファン３０の吹出し風が、ほぼ吹出口面積分に分布して吹出すため、風速が高く、特に夏季に隣家や通行人に熱風が届いて、不愉快な思いをさせたり、花壇の植物を枯らす等の弊害を有していた。また、これを防ぐために、吹出し方向を上にしても、本体構成上、本体の厚みが増えたり、木の葉や雪が本体内部に溜まるという別の問題を引き起こす。
【０００５】
本発明は、前記従来の課題を解決するもので、本体の構成を大きく変えずに、ファンの吹出し風速を低下させる空気調和機を提供することを目的とする。
【課題を解決するための手段】
【０００６】
前記従来の課題を解決するために、本発明の空気調和機は、熱交換器と、ファンを納めた空気調和機の室外機本体部の前面に、ファン面積より十分大きい前面グリルを設け、前記前面グリルは前記吹出口の略前面投影部分の吹出口前面部と、それ以外の外郭部から構成し、前記吹出口前面部の通風抵抗を、前記外郭部の通風抵抗より大きくしたものである。
【０００７】
これによって、ファンの吹出し風は、ファンより十分大きい面積を持った前面グリル全域からほぼ一様に、低風速で吹出される。
【発明の効果】
【０００８】
本発明は、特に夏季に隣家や通行人に室外機から吹出す熱風が届いて、不愉快な思いをさせたり、花壇の植物を枯らす等の弊害のない空気調和機を提供することができる。
【発明を実施するための最良の形態】
【０００９】
本発明は、本体の背面のみ、あるいは背面と側面に設けられた吸込口と、前面に設けられた吹出口とを結ぶ空気通路に、熱交換器と、ファンを納めた空気調和機の室外機本体部があり、その前面に、ファン面積より十分大きい前面グリルを設け、前記前面グリルは前記吹出口の略前面投影部分の吹出口前面部と、それ以外の外郭部から構成し、前記吹出口前面部の開口率を、前記外郭部の開口率より小さくするとともに、前記前面グリルの前記外郭部と前記空気調和機の室外機本体部の間に通風路を設け、さらに前記外郭部の外周部分において、前記前面グリルと前記空気調和機の室外機本体部の間を閉じたことで、ファ
ンの吹出し風は、ファンより十分大きい面積を持った前面グリル全域からほぼ一様に、低風速で吹出され、夏季に隣家や通行人に室外機から吹出す熱風が届いて、不愉快な思いをさせたり、花壇の植物を枯らす等の弊害のない空気調和機を提供することができる。
【００１０】
以下、本発明の実施の形態について、図面を参照しながら説明する。なお、この実施の形態によって本発明が限定されるものではない。
【００１１】
（実施の形態１）
図1は、本発明の実施の形態１における空気調和機の室外機の横断面図である。図２は、本発明の実施の形態１における空気調和機の室外機の正面図である。
【００１２】
図1において、吸込口１１、縦型の圧縮機４、熱交換器３、ファン２、吹出口１２とそれらを囲む外箱５を備えた空気調和機の室外機１に於いて、前面グリル７を室外機本体部１０の前面側より、奥行き方向に、通風路９を設けて配しており、前面グリル７を室外機1の前面の殆どを占める面積にしている。ファン２をオリフィス６が取り囲み、オリフィスの下流側端は、吹出口１２を形成し、モータ８が、ファン２を駆動する。
【００１３】
また、前面グリル７の格子部分の開口率は、吹出口１２の略前面投影部分である吹出口前面部７Ａ以外の部分である外郭部７Ｂでは強度やファン２に外部から指が触れない範囲で最大にしてある。これに対して、吹出口前面部７Ａではそれよりも開口率を小さくしている。
【００１４】
また、前記前面グリル７の前記外郭部７Ｂの外周部分において、前記前面グリル７と前記空気調和機の室外機本体部外箱５の間を閉塞材１３で閉じている。
【００１５】
以上のように構成された空気調和機室外機について、以下その動作、作用を説明する。
【００１６】
ファン２の吹出し風は、一部は前面グリル７の吹出口前面部７Ａを通過して外に吹出し、残りは通風路９を通過して半径方向に拡散し、前面グリル７の外郭部７Ｂを通過して吹出される。
【００１７】
ここで、吹出口前面部７Ａ、外郭部７Ｂの開口率が同じなら、ファンの吹出し風は大半が吹出口前面部７Ａを通過する。ここで風量をQ、吹出口１２の直径をDとするなら、吹出口前面部７Ａの面積はほぼ吹出口１２の前面投影部分に等しいので、吹出し風速は、Q／０．２５πＤ2である。
【００１８】
これに対し、本発明の実施の形態１では吹出口前面部７Ａの開口率を外郭部Bより小さくして、通風抵抗を大きくしているので、吹出し風速は外郭部７Ｂにも流れ、両者の開口率比を適切に選べば、吹出口前面部７Ａと外郭部Bの風速をほぼ等しくすることができる。このとき、本発明による前面グリル７の面積をSとすると、吹出し風速は、Q／Ｓであり、吹出し風速は、従来に比べて、０．２５πＤ2／Ｓに減速される。
【００１９】
なお、図２では吹出口前面部７Ａが、吹出口１２とほぼ同様の円形をしているが、デザイン上の要請により、ほぼ同面積の正方形にしても、本発明の効果は保たれる。
【００２０】
さらに、図２における吹出口前面部の中央には、ファンの中心部で起こる逆流防止のために小さい円形等の板が配されることがよくあるが、この板による本発明や上記の動作説明への影響は無視し得るほど微小である。
【００２１】
また、本実施の形態１では、吹出口前面部７Ａと外郭部B双方の風速が同一になる理想
状態を選んだが、風速に差があっても最大風速部分が減速されれば同様の効果を奏することは言うまでも無い。
【産業上の利用可能性】
【００２２】
以上のように、本発明にかかる空気調和機は、本体の背面のみ、あるいは背面と側面に設けられた吸込口と、前面に設けられた吹出口とを結ぶ空気通路に、熱交換器と、ファンを納めた空気調和機の室外機本体部があり、その前面に、ファン面積より十分大きい前面グリルを設け、前記前面グリルは吹出口の略前面投影部分の吹出口前面部と、それ以外の外郭部から構成し、前記吹出口前面部の開口率を、前記外郭部の開口率より小さくするとともに、前記前面グリルの前記外郭部と前記空気調和機の室外機本体部の間に、通風路を設け、さらに前記外郭部の外周部分において、前記前面グリルと前記空気調和機の室外機本体部の間を閉じたことで、ファンの吹出し風は、ファンより十分大きい面積を持った前面グリル全域からほぼ一様に、低風速で吹出され、夏季に隣家や通行人に室外機から吹出す熱風が届いて、不愉快な思いをさせたり、花壇の植物を枯らす等の弊害のない空気調和機を提供することができるので、空気調和機室外機に広く適用できる。
【図面の簡単な説明】
【００２３】
【図１】本発明の実施の形態１における空気調和機の室外機の横断面図
【図２】本発明の実施の形態１における空気調和機の室外機の正面図
【図３】従来の空気調和機の断面図
【符号の説明】
【００２４】
１  室外機
２  ファン
３  熱交換器
４  圧縮機
５  外箱
６  オリフィス
７  前面グリル
７Ａ  前面グリルの吹出口前面部
７Ｂ  前面グリルの外郭部
８  モータ
９  通風路
１０  室外機本体部
１１  吸込口
１２  吹出口
１３  閉塞材
３１  熱交換器
３２  圧縮機
３３  外箱
３４  前面グリル
【図１】
2007017012.tif 000003
【図２】
2007017012.tif 000004
【図３】
2007017012.tif 000005